(57)【特許請求の範囲】
【請求項１】
配電用の導電部材を収納した配線ダクトの前記導電部材に接続される１次側の接触子と、
前記接触子と２次側の回路との間に接続された接点装置と、
前記接触子に流れる電流の電流値が所定値を超えると前記接点装置を開極させる制御部と、
前記接点装置が開極している状態を報知する報知部と、
前記接点装置が開極している状態を報知する信号を外部の機器に出力する出力部とを備え、
前記２次側の回路には、給電ケーブルを介して接続され、
前記出力部は、前記給電ケーブルとは別の信号線を介して、前記信号を前記機器に出力することを特徴とする配線ダクト接続装置。
【発明の詳細な説明】
【技術分野】
【０００１】
本発明は、配線ダクト接続装置に関する。
【背景技術】
【０００２】
従来、配線ダクトに着脱自在に取り付けられる配線ダクト用プラグがあった（例えば特許文献１参照）。配線ダクトは、例えばデータセンタのように多数の電気機器が使用される建物に設置される。データセンタの天井に設置された配線ダクトから、設置された配線ダクト用プラグの各々を介して、サーバラックなどに電力が供給される。特許文献１の配線ダクト用プラグは、配線ダクトから給電されていると点灯する表示灯と、２次側への給電を遮断するための回路遮断器とをボディに収納している。
【先行技術文献】
【特許文献】
【０００３】
【特許文献１】特開２０１２−１１４０００号公報
【発明の概要】
【発明が解決しようとする課題】
【０００４】
特許文献１の配線ダクト用プラグの表示灯は、配線ダクトから配線ダクト用プラグに給電されていると点灯している。回路遮断器が１次側と２次側とを電気的に遮断しても表示灯は点灯しているため、回路遮断器が２次側への給電を遮断していることがわかりにくいという問題があった。
【０００５】
本発明は上記課題に鑑みて為され、給電を遮断している状態を報知する配線ダクト接続装置を提供することを目的とする。
【課題を解決するための手段】
【０００６】
本発明の配線ダクト接続装置は、配電用の導電部材を収納した配線ダクトの前記導電部材に接続される１次側の接触子と、前記接触子と２次側の回路との間に接続された接点装置と、前記接触子に流れる電流の電流値が所定値を超えると前記接点装置を開極させる制御部と、前記接点装置が開極している状態を報知する報知部と、前記接点装置が開極している状態を報知する信号を外部の機器に出力する出力部とを備え、前記２次側の回路には、給電ケーブルを介して接続され、前記出力部は、前記給電ケーブルとは別の信号線を介して、前記信号を前記機器に出力することを特徴とする。
【発明の効果】
【０００７】
給電を遮断している状態を報知する配線ダクト接続装置を提供することができる。
【図面の簡単な説明】
【０００８】
【図１】実施形態に係る配線ダクト接続装置の回路図である。
【図２】実施形態に係る配線ダクト接続装置を配線ダクトに接続した状態の斜視図である。
【図３】実施形態に係る配線ダクト接続装置の斜視図である。
【図４】実施形態に係る配線ダクト接続装置を後方から見た斜視図である。
【図５】実施形態に係る配線ダクト接続装置の要部を示す斜視図である。
【図６】実施形態に係る配線ダクト接続装置の要部断面図である。
【図７】実施形態に係る配線ダクト接続装置を用いた配線ダクトシステムの説明図である。
【発明を実施するための形態】
【０００９】
以下に、本発明の技術思想を、単相３線式配線の配線ダクトに用いる配線ダクト接続装置に適用した実施形態について図面を参照して説明する。なお、配線ダクトは単相３線式配線に限定されず、三相３線式配電方式や三相４線式配電方式などであってもよい。
【００１０】
配線ダクト接続装置の実施形態を図に基づいて説明する。なお、以下の説明では図２に示すｙ軸方向を上下方向、ｘ軸方向を左右方向、ｚ軸方向を前後方向と規定して説明するが、この方向は説明の便宜上定義し、実際の使用状態での方向を上記の方向に限定する趣旨ではない。
【００１１】
配線ダクト接続装置１の回路構成について図１を参照して説明する。
【００１２】
配線ダクト接続装置１は接触子２１〜２３と、遮断器５と、発光部７（報知部）とを備えている。本実施形態の配線ダクト接続装置１はさらに、出力部８を備えている。
【００１３】
遮断器５は、１次側の接触子２１〜２３と２次側の回路との間に接続される。遮断器５は、接点装置５２と、制御部５０とを有している。接触子２１〜２３は各々、後述する配線ダクト１７の導電部材（導体１７１〜１７３）に電気的に接続される。
【００１４】
遮断器５の２次側の端子５１１〜５１３は、装置本体１０のボディ１２の下側に形成された端子台５１０に並べて設けられている。端子５１１〜５１３には、負荷との間に接続される給電ケーブル１３（図２参照）の芯線（図示せず）が電気的に接続されている。
【００１５】
接点装置５２は、３極の接点を有していて、接触子２１と端子５１１、接触子２２と端子５１２、接触子２３と端子５１３の間に電気的に接続されている。接点装置５２は、接触子２１と端子５１１、接触子２２と端子５１２、接触子２３と端子５１３とを電気的に遮断するか又は接続する。接点装置５２は、装置本体１０の表面に露出する操作ハンドル５１を用いた手動操作に応じてオン／オフされるか、又は制御部５０によって強制的にオフにされる。接点装置５２がオフになると、接触子２１と端子５１１とが電気的に遮断される。同様に、接点装置５２がオフになると、接触子２２と端子５１２とが遮断され、接触子２３と端子５１３とが遮断される。接点装置５２がオンになると、接触子２１と端子５１１との間が電気的に接続される。同様に、接点装置５２がオンになると、接触子２２と端子５１２との間が接続され、接触子２３と端子５１３との間が接続される。
【００１６】
制御部５０は、接点装置５２に流れる電流を監視している。制御部５０は例えば、２次側の回路（負荷）に過電流が流れたり、または漏電したりしていることを、接触子２１〜２３に流れる電流の電流値に基づいて検出する。制御部５０は、接点装置５２に流れる電流の電流値が所定の閾値を超えると、接点装置５２を強制的にオフさせる。この動作により、遮断器５は、接触子２１〜２３に流れる電流の電流値が所定の閾値を超えたときに接点装置５２を開極して（つまりオフにして）、給電を自動的に遮断する異常遮断（トリップ）機能を有している。
【００１７】
接点装置５２のオン／オフ状態が切り替わると、接点装置５２の接点と連動してスイッチ７２，８５の状態が切り替わる。
【００１８】
スイッチ７２とＬＥＤ（Light Emitting Diode）７１とは、接触子２１，２３間に直列に接続されている。スイッチ７２の端子７２２は、接触子２１に電気的に接続されている。スイッチ７２の端子７２１は、ＬＥＤ７１の一端に接続されていて、ＬＥＤ７１の他端は電流制限抵抗（図示せず）を介して接触子２３に電気的に接続されている。スイッチ７２がオフからオンに切り替わり、端子７２１と端子７２２との間が導通すると、ＬＥＤ７１に電流が流れて点灯する。言い換えると、接点装置５２がオフになると、スイッチ７２がオンになってＬＥＤ７１が点灯する。
【００１９】
スイッチ８５の端子８５１は端子８０１に電気的に接続されている。同様に、スイッチ８５の端子８５２は端子８０２に接続されていて、スイッチ８５の端子８５３は端子８０３に接続されている。端子８０１〜８０３は、ボディ１２の下側に設けられた端子台８００に並べて取り付けられている。端子８０１には信号線８１（図２参照）が電気的に接続されている。同様に、端子８０２には信号線８２が接続されており、端子８０３には信号線８３が接続されている。
【００２０】
スイッチ８５は、遮断器５の接点装置５２がオフの場合には、端子８５１と端子８５２との間が電気的に接続され、端子８５１と端子８５３との間は非導通となる。接点装置５２がオンの場合には、端子８５１と端子８５２との間が遮断されて端子８５１と端子８５３との間が電気的に接続される。つまりスイッチ８５によって、接点装置５２がオフの場合には信号線８１，８２との間が電気的に接続され、接点装置５２がオンの場合には信号線８１，８３との間が電気的に接続される。
【００２１】
信号線８１〜８３は、機器３０５（図７参照）に電気的に接続されている。出力部８は、端子８０１〜８０３間の接続状態を切り替えることにより、遮断器５の２次側に給電しているか否かを報知する信号を、信号線８１〜８３を介して機器３０５に出力している。機器３０５は、信号線８１，８２間が導通していれば接点装置５２が開いていると判断し、信号線８２，８３間が導通していれば接点装置５２が閉じていると判断することができるようになる。
【００２２】
ここで、配線ダクト接続装置１が接続される配線ダクト１７について図２を参照して説明する。
【００２３】
配線ダクト１７は、長尺の角筒状であり、配線ダクト接続装置１が電源（図示せず）に接続される。配線ダクト１７の下面には長手方向の全体にわたって溝１７４が開口している。配線ダクト１７の内側には、長手方向に沿って３本の導体１７１〜１７３が配置されている。導体１７１〜１７３は、単相３線式のＡＣ１００Ｖの電源に接続されている。導体１７１は、単相３線配線の中性線に相当し、配線ダクト１７内の天面に配置されている。導体１７２，１７３は電圧線に相当し、配線ダクト１７内の両側面にそれぞれ配置されている。なお、電源の電圧はＡＣ１００Ｖに限定されず、例えばＡＣ２４０Ｖなどの適宜の電圧であってよい。
【００２４】
次に、配線ダクト接続装置１について図２〜図６を参照して説明する。
【００２５】
装置本体１０は、ボディ１２と、端子カバー１１とを有している。装置本体１０にはさらに、カバー６（制限部）と、錠装置４（保持部）とが取り付けられる。ボディ１２と端子カバー１１とは各々、合成樹脂で形成されている。なお、ボディ１２と端子カバー１１とは各々、例えば金属などの適宜の材料で形成されていてもよい。
【００２６】
ボディ１２は縦長の箱状に形成されており、端子カバー１１は上面が開口した角筒状に形成されている。ボディ１２の上部には、配線ダクト１７の溝１７４に挿入される挿入部２が設けられている。
【００２７】
挿入部２の前後方向の寸法は溝１７４の幅寸法よりも小さく形成されている。挿入部２の上面には、左右方向に沿う溝状の凹部２０１が形成されている。凹部２０１内には、金属製の接触子２１が設けられている。凹部２０１内には、後述する配線ダクト１７のうち、導体１７１を保持している部位の一部が挿入される。挿入部２の一方の面（前面）には孔２０２が設けられており、金属製の接触子２２が孔２０２から進退自在に設けられている。同様に、挿入部２の他方の面（背面）には孔２０３が設けられており、金属製の接触子２３が孔２０３から進退自在に設けられている。
【００２８】
接触子２１は、配線ダクト１７の導体１７１に接続される。同様に、接触子２２は導体１７２に接続し、接触子２３は導体１７３に接続される。
【００２９】
ボディ１２の両側面の上部には、レバー１５１，１６１が回転自在に設けられている。レバー１５１，１６１が共に前方を向いている状態では、接触子２２は孔２０２内に収まっていて、接触子２３は孔２０３内に収まっている。一方、レバー１５１が左方向を向く位置に回転し、レバー１６１が右方向を向く位置に回転した状態では、接触子２２は孔２０２から外に突出し、接触子２３は孔２０３から外に突出している。
【００３０】
レバー１５１の回転軸には矩形板状の固定板１５２が連結され、レバー１６１の回転軸には矩形板状の固定板１６２が連結されている。固定板１５２，１６２の幅寸法は、溝１７４の幅寸法よりも小さくなるように形成されており、固定板１５２，１６２の長さ寸法は溝１７４の幅寸法よりも大きくなるように形成されている。固定板１５２はレバー１５１とともに回転し、レバー１５１が前方を向く位置まで回転すると、固定板１５２の長手方向が挿入部２の長手方向と平行になる。同様に、固定板１６２はレバー１６１とともに回転し、レバー１６１が前方を向く位置まで回転すると、固定板１６２の長手方向が挿入部２の長手方向と平行になる。
【００３１】
ボディ１２の下部には、端子カバー１１が着脱自在に取り付けられている。端子カバー１１は、ボディ１２の下部に設けられた端子台５１０，８００を覆っている。端子カバー１１の下面には、給電ケーブル１３が引き込まれる引き込み口（図示せず）と、給電ケーブル１３の外被を保持するケーブルクランプ１３１と、信号線８１〜８３が引き込まれる引き込み口（図示せず）とが設けられている。給電ケーブル１３は引き込み口を通して端子カバー１１の内部に引き込まれ、端子台５１０の端子５１１〜５１３に電気的に接続されている。給電ケーブル１３の外被は、端子カバー１１をボディ１２に結合させた状態でケーブルクランプ１３１によって保持されている。信号線８１〜８３は、端子カバー１１の引き込み口から引き込まれていて、端子台８００の端子８０１〜８０３に電気的に接続されている。３本の信号線８１〜８３は、ねじ式の保持具８４によって保持されている。
【００３２】
ここで、ボディ１２を配線ダクト１７に接続する方法を説明する。
【００３３】
レバー１５１，１６１が共に前方を向いている状態で、ボディ１２の上部が配線ダクト１７の下側の端部に接する位置まで挿入部２を配線ダクト１７の溝１７４に挿入すると、接触子２１が導体１７１に接触する。接触子２１が導体１７１に接触した状態で、レバー１５１を前方から左方向に回転させ、レバー１６１を前方から右方向へ回転させる。レバー１５１，１６１を回転させることにより、孔２０２から外に突出した接触子２２が導体１７２に接触して導通し、孔２０３から外に突出した接触子２３が導体１７３に接触して導通する。また、固定板１５２はレバー１５１とともに回転して、配線ダクト１７の溝１７４の内側の周縁部分に引っかかる。同様に、固定板１６２はレバー１６１とともに回転して、配線ダクト１７の溝１７４の内側の周縁部分に引っかかる。固定板１５２，１６２が配線ダクト１７の溝１７４の周縁部分に引っかかることにより、装置本体１０が配線ダクト１７に引っかかって止まる。
【００３４】
ボディ１２には、遮断器５と、発光部７とが取り付けられている。ボディ１２の前面には、図５に示すように、遮断器５の操作ハンドル５１が露出するように配置されている。
【００３５】
発光部７は、ＬＥＤ７１と、ＬＥＤ７１をオン／オフするスイッチ７２と、ＬＥＤ７１の放射光を透過するランプカバー７３とを備えている。スイッチ７２は、接点装置５２のオン／オフと連動してオン／オフするように、後述する制御部５０によって制御される。接点装置５２がオフになるとスイッチ７２はオンになってＬＥＤ７１を点灯させ、接点装置５２がオンになるとスイッチ７２はオフになってＬＥＤ７１を消灯させる。なお、発光部７は、ＬＥＤを備えることに限定されず、ネオンランプや有機エレクトロルミネッセンス素子などの発光する部品を備えていればよい。また、例えば砲弾型のＬＥＤが発光部７の前面に露出するように配置されている場合には、発光部７はランプカバー７３を有していなくてもよい。また、ＬＥＤ７１の点灯状態は、本実施形態とは逆でもよい。つまり、ＬＥＤ７１は、接点装置５２がオンの場合に点灯し、接点装置５２がオフの場合に消灯してもよい。
【００３６】
操作ハンドル５１は、上下方向に操作可能な状態で、ボディ１２の前面に配置されている。遮断器５は、操作ハンドル５１がオン位置（例えば上側）に切り替えられた状態では接触子２１〜２３との端子５１１〜５１３との間を電気的に接続する。遮断器５は、操作ハンドル５１がオフ位置（例えば下側）に切り替えられた状態では接触子２１〜２３と端子５１１〜５１３との間を電気的に遮断する。また遮断器５は、操作ハンドル５１がオン位置であっても、検出部が２次側の負荷に異常な電流が流れたことを検知すると、制御部５０が接点装置５２をオフにする（つまり接点装置５２がトリップする）。
【００３７】
ボディ１２の一方の側面（左側面）には、（第１の）孔９１が上下方向に２つ並べて形成されている。孔９１の各々は、係止部６１１の位置に対応する部位に形成されていて、カバー６をボディ１２に対して回転自在に支持する。
【００３８】
ボディ１２の他方の側面（右側面）には、錠装置４のＵ字形の掛け金４１を通すための（第２の）孔９２が、前後方向に２つ並べて形成されている。
【００３９】
カバー６は、合成樹脂で形成されていて、後方が開口した箱状に形成されている。カバー６は、装置本体１０に着脱自在に取り付けられ、ボディ１２の前面および両側面の一部を覆う。カバー６は、装置本体１０に取り付けられた状態で操作ハンドル５１を覆って、操作ハンドル５１の操作を制限する。なお、カバー６は、透光性を有する合成樹脂（例えばアクリル樹脂やポリカーボネート樹脂など）で形成されていてもよい。
【００４０】
カバー６の一方（左側）の側部６１には、ボディ１２の孔９１に引っかかる係止部６１１が２つ上下に並ぶように形成されている。係止部６１１を各々、対応する孔９１に挿入して引っかけることにより、カバー６がボディ１２に回転自在に支持される。なお、カバー６は、２つの係止部６１１を各々ボディ１２の孔９１に引っかけることに限定されず、１つの係止部６１１を１つの孔９１に引っかけてもよい。さらに、ボディ１２がカバーを回転自在に支持する方法は、係止部６１１を各々ボディ１２の孔９１に引っかけることに限定される趣旨ではない。ボディ１２がカバー６を回転自在に支持する方法は、例えば、側部６１の後方の縁部分に、軸方向が上下方向に沿う中空筒状の筒部を設け、ボディ１２の左側面に、軸方向が上下方向に沿う軸を設け、その軸を筒部に通す方法でもよい。また、ボディ１２がカバー６を回転自在に支持することに限定されず、例えばカバー６がボディ１２にねじ止めされていてもよい。
【００４１】
カバー６の他方（右側）の側部６２には、（第３の）孔６２２が前後方向に２つ並べて形成されている。２つの孔６２２は各々、ボディ１２の前面にカバー６を配置した際に、ボディ１２に形成された各々の孔９２の位置と対応する部位に形成されている。掛け金４１を孔９２，６２２に通して施錠することにより、カバー６が操作ハンドル５１を覆った状態でボディ１２の前面に取り付けられて施錠される。
【００４２】
なお、本実施形態ではカバー６が操作ハンドル５１を覆うことにより操作ハンドル５１の操作を制限しているが、制限部は操作ハンドル５１を覆うカバー６に限定される趣旨ではない。制限部は、操作ハンドル５１がオン位置に切り替えられた状態から動かなくするように構成されていてもよい。例えば、操作ハンドル５１の下面に接する矩形板状に形成された制限部をボディ１２の前面に取り付け、制限部を操作ハンドル５１の下面に当てて操作ハンドル５１がオン位置からオフ位置に動かなくすることで、操作ハンドル５１の操作を制限してもよい。
【００４３】
錠装置４は、図６に示すように、いわゆる南京錠であり、金属材料で形成された錠本体４０と掛け金４１とを備える。錠本体４０は、錠本体に回転自在に設けられたシリンダー部（図示せず）を有し、シリンダー部の鍵穴に正規の鍵（図示せず）が挿入されるとシリンダー部が回転可能となる。掛け金４１は、金属材料でＵ字形に形成され、シリンダー部が回転操作されると錠本体４０からＵ字形の掛け金４１の一端部分が着脱自在となる。掛け金４１を孔９２，６２２に通して掛け金４１の一端部分を錠本体４０に差し込むことで、カバー６とボディ１２とが施錠される。なお、錠装置４の掛け金４１を通す２つの孔９２および２つの孔６２２は、本実施形態では前後方向に沿って形成されているが、この方向に沿うことに限定する趣旨ではない。例えば２つの孔９２，６２２は、上下方向に沿って形成されていてもよい。
【００４４】
なお、錠装置４は南京錠に限定されず、カバー６をボディ１２に取り付けた状態で施錠する適宜の錠装置であればよい。錠装置４は例えば、シリンダー錠（図示せず）をボディ１２に一体に設け、シリンダー錠のデッドボルトがカバー６を引っ掛けて止める構成でもよい。シリンダー錠の他にも、あらかじめ定められた解除方法によって解錠する適宜の錠でもよい。例えば錠装置４は、暗証番号、専用カードキー、指紋などの生体認証によって解錠できる電子錠などであってもよい。また、保持部は錠装置４で構成されることに限定されず、例えばカバー６とボディ１２とを貫通するボルトと、ナットとで構成されてもよい。また保持部は、カバー６に形成された貫通孔を通ってボディの１２のねじ穴にねじ込まれるねじであってもよい。つまり保持部は、ボディ１２に対してカバー６の開閉を制限する構成であればよい。
【００４５】
錠装置４の掛け金４１を孔９２，６２２から外すと、カバー６を回転させてボディ１２の前面を露出させることができるので、操作ハンドル５１を操作することができるようになる。操作ハンドル５１を操作することで、接点装置５２を手動でオン／オフすることができるようになり、また接点装置５２がトリップして給電が遮断された状態から復旧させることができる。
【００４６】
ここで、本実施形態の配線ダクト接続装置１を用いる配線ダクトシステムを、データセンタのサーバ室に設置した場合の使用状況について図７を用いて説明する。なお、図７では、配線ダクト１７に複数設置されている配線ダクト接続装置１のうち、説明のために２つのみ図示して他は省略している。また、信号線８１〜８３を信号線８０と表記して説明する。
【００４７】
配線ダクト１７は、天井３０３から長尺の吊り金具３０４で吊るされて設置されている。配線ダクト接続装置１は、給電対象のサーバラック３０２の上方の配線ダクト１７に接続されている。配線ダクト接続装置１は、給電ケーブル１３を介してサーバラック３０２に給電している。なお、本実施形態では給電対象の負荷をサーバラック３０２として説明しているが、負荷の種類をサーバラックに限定する趣旨ではなく、適宜の種類の負荷でもよい。
【００４８】
カバー６が不透明な材料で形成されている配線ダクト接続装置１では、カバー６を外さなければ操作ハンドル５１がオン位置にあるか否かを判断することができない。また、操作ハンドル５１を不用意にオフ操作されないように操作ハンドル５１がオフ位置に動かされないようにしている配線ダクト接続装置１では、操作ハンドル５１がオン位置にあっても接点装置５２が強制的に開極（トリップ）している可能性がある。このような配線ダクト接続装置１では、給電状態か否かを操作ハンドル５１の位置から判断することができないという問題があった。本実施形態の配線ダクト接続装置１は、遮断器５が２次側への給電を遮断していることを発光部７の点灯により報知するので、配線ダクト接続装置１が給電を遮断していることがわかりやすい。そのため、給電の復旧作業がしやすくなり、復旧作業にかかる時間を短くすることができる。例えば無停電電源装置がサーバラック３０２に接続されているとする。配線ダクト接続装置１からの給電が遮断されても、無停電電源装置がサーバラック３０２に給電するのでサーバラック３０２は動作し続けるが、無停電電源装置からの給電時間は限られている。給電の復旧作業にかかる時間を短くして、無停電電源装置からの給電が終了する前に配線ダクト接続装置１の給電を復旧させることにより、例えばサーバダウンのような負荷の停止状態を起こしにくくすることができる。さらに本実施形態の発光部７は、サーバラック３０２への給電中に発光部７が消灯しているので、配線ダクト接続装置１の発光部７の周辺に発光する装置がない場合には、遮断状態の配線ダクト接続装置１を見つけやすくなることも好ましい。
【００４９】
信号線８０（信号線８１〜８３）は、機器３０５に電気的に接続されている。機器３０５は、信号線８１，８２間が導通していれば配線ダクト接続装置１が給電を遮断していると判断し、信号線８２，８３間が導通していればサーバラック３０２に給電していると判断する。機器３０５は、配線ダクト接続装置１が給電を遮断していると判断した場合に、所定の動作を行うように構成されていてもよい。例えば機器３０５は、配線ダクト接続装置１が設置されている場所から離れた場所（例えば管理室などのようにサーバ室と異なる部屋）のサイレンを鳴動させたり、ランプを点灯させたりするなどしてもよいし、所定の通信機器にデータを送信してもよい。また、機器３０５で複数の配線ダクト接続装置１をモニターしてもよい。さらに、複数のサーバ室内の接点装置５２のオン／オフ状態を、管理室で一括して監視してもよい。複数の配線ダクト接続装置１のうち、どの配線ダクト接続装置１が給電を遮断しているかを特定することができるので、サーバ室内で発光部７の点灯状態を確認する前に、復旧対象の配線ダクト接続装置１を特定することができる。作業者は、給電を遮断している配線ダクト接続装置１を特定しやすくなり、給電の遮断状態を復旧させやすくなる。なお、図７では、機器３０５が、サーバラック３０２があるサーバ室に設置されているが、機器３０５は、このサーバ室とは異なる場所（例えば管理室など）に設置されていてもよい。
【００５０】
また、本実施形態の配線ダクト接続装置１には錠装置４で施錠されたカバー６があるため、過失あるいは故意で操作ハンドルが操作されにくくなり、負荷への給電が遮断されにくくなる。サーバラック３０２が設置されるデータセンタでは通常、セキュリティカメラによる監視が行われているので、カバー６を開けて操作ハンドル５１を操作するまでに時間がかかることによって、故意で操作ハンドル５１が操作されにくくなる。
【００５１】
以上説明したように、本実施形態の配線ダクト接続装置１は、１次側の接触子２１〜２３と、接点装置５２と、制御部５０と、発光部７（報知部）とを備えている。１次側の接触子２１〜２３は、配電用の導体１７１〜１７３（導電部材）を収納した配線ダクト１７の導体１７１〜１７３に接続される。接点装置５２は、接触子２１〜２３と２次側の回路との間に接続されている。制御部５０は、接触子２１〜２３に流れる電流の電流値が所定値を超えると接点装置５２を開極させる（オフにする）。発光部７は、接点装置５２が開極している（オフになっている）状態を報知する。本実施形態の発光部７は、ＬＥＤ７１を点灯させることにより接点装置５２がオフになっている状態を報知する。
【００５２】
接点装置５２は、接触子２１〜２３に流れる電流値が所定値を超えると制御部５０によって強制的にオフされて給電を遮断することにより、例えば漏電や過負荷による異常電流が流れた際に、自動的に負荷への給電を遮断するので、安全性を高めることができる。遮断器５が２次側への給電を遮断している場合に発光部７が点灯するため、遮断器５が給電を遮断していることがわかりやすい。特に、複数の配線ダクト接続装置１が設置されている場合に、発光部７の点灯状態を確認することにより、どの配線ダクト接続装置１が給電を遮断しているかがわかりやすい。作業者は、給電を遮断している配線ダクト接続装置１を特定しやすくなり、給電の遮断状態から給電状態に復旧させやすくなる。本実施形態のように、操作ハンドル５１がカバー６に覆われていて外観から操作ハンドル５１の位置が変わっていることが目視で確認できない場合であっても、作業者は発光部７の点灯を確認することで給電を遮断している配線ダクト接続装置１を特定しやすくなる。また、操作ハンドル５１が制限部で固定されていて、接点装置５２が異常遮断（トリップ）しても操作ハンドル５１の位置が変わらない場合でも、発光部７の点灯を確認することで、作業者は給電を遮断している配線ダクト接続装置１を特定しやすくなる。なお、報知部は、本実施形態のような発光部７で構成されることに限定されず、液晶パネルなどの表示装置を備えていてもよいし、音を発生させる装置（例えばブザーやスピーカなど）を備えていてもよい。
【００５３】
本実施形態の配線ダクト接続装置１は、接点装置５２が開極している（オフになっている）状態を報知する信号を外部の機器（本実施形態では機器３０５）に出力する出力部８を備えていることが好ましい。出力部８は、配線ダクト接続装置１と離れた場所にある機器３０５に接点装置５２のオン／オフ状態を報知することにより、離れた場所で接点装置５２のオン／オフ状態を監視できる。また、複数の配線ダクト接続装置１の各々を機器３０５に電気的に接続して、複数の配線ダクト接続装置１を監視してもよい。さらに、複数の離れた場所にある配線ダクト接続装置１の各々を機器３０５に電気的に接続して一括監視してもよい。出力部８は、接点装置５２のオフ状態を外部の機器に報知することができるので、外部の機器３０５にその場合の動作（例えば報知先の選択や報知方法など）を設定することも可能である。
【００５４】
なお、配線ダクト接続装置１は、カバー６（制限部）と、錠装置４（保持部）とを備えていることが好ましい。カバー６は、装置本体１０に着脱自在に取り付けられ、装置本体１０に取り付けられた状態で操作ハンドル５１の操作を制限する。錠装置４は、カバー６が操作ハンドル５１の操作を規制している状態を保持し、所定操作によりカバー６の保持を解除する。カバー６が操作ハンドル５１の操作を規制するので、過失あるいは故意で操作ハンドルが操作されにくくなり、負荷への給電が遮断されにくくなる。ただし、配線ダクト接続装置１は、制限部や保持部を備えていなくてもよい。
【００５５】
なお、本実施形態の配線ダクト接続装置１は、遮断器５を１つ備えているが、遮断器の数は１つに限定されず、複数の遮断器を備えていてもよい。例えば、接触子２１，２２と２次側の負荷との間に接続された１００Ｖ給電用の遮断器と、接触子２２，２３と２次側の負荷との間に接続された２００Ｖ給電用の遮断器とを備え、１００Ｖの給電と２００Ｖの給電とを各々遮断するように構成されていてもよい。また、配線ダクト接続装置１は、遮断器の数に応じて複数の発光部７を備えていてもよい。
【００５６】
本実施形態の出力部８は、信号線８１〜８３間の接続状態を切り替えることで接点装置５２のオン／オフ状態を機器３０５に出力しているが、適宜の信号を信号線８１〜８３に出力するように構成されていてもよい。例えば出力部は、接点装置５２のオン／オフ状態に応じて電圧変化や電流変化などによる適宜の信号を信号線８１〜８３に出力するように構成されていてもよい。また出力部は、電波を媒体とする無線通信によって接点装置５２のオン／オフ状態を外部の機器に出力するように構成されていてもよい。無線通信の通信方式は例えば、特定小電力無線、Ｚｉｇｂｅｅ（登録商標）、Ｂｌｕｅｔｏｏｔｈ（登録商標）などの、免許が不要な近距離の無線通信でもよい。なお、電波を媒体とすることに限定されず、例えば赤外線通信などの光を媒体とする無線通信でもよい。
【符号の説明】
【００５７】
１  配線ダクト接続装置
２１〜２３  接触子
５０  制御部
５２  接点装置
７  発光部（報知部）
８  出力部
１７    配線ダクト
１７１〜１７３  導体（導電部材）
【図１】
0006601750.tif 000002
【図２】
0006601750.tif 000003
【図３】
0006601750.tif 000004
【図４】
0006601750.tif 000005
【図５】
0006601750.tif 000006
【図６】
0006601750.tif 000007
【図７】
0006601750.tif 000008